(57)【要約】【課題】  消費電力を高めることなく、光磁気ディスクに対する信号記録を高速化する。【解決手段】  磁界発生部１３を可動部１２に設け、この可動部１２を、摺動部材１１に対して、光磁気ディスクの表面に平行な方向に移動可能なように弾性支持部材１６が支持し、コイル１８、ヨーク１９、永久磁石２０からなるアクチュエータにより変位させるようにする。可動部１２にはさらに、磁界発生部１３を挟んでアクチュエータによる可動部１２の変位方向に対向する位置にそれぞれＰＤ１４ａおよび１４ｂを設け、光磁気ディスクを挟んで対向する位置から照射され、光磁気ディスクを透過した光ビームを、ＰＤ１４ａおよび１４ｂに受光させる。そして、これらの受光信号に基づく駆動回路１５の制御によりアクチュエータを駆動し、磁界発生部１３の位置が光ビームの入射位置に追従するように可動部１２を変位させる。【選択図】  図４
2007018678.tif 000002
【特許請求の範囲】
【請求項１】
光磁気ディスクに信号を記録する磁気ヘッド装置において、
サスペンションに懸架されて前記光磁気ディスクの表面に摺動する摺動部材と、
前記摺動部材またはこれに固定された部材に対して、前記光磁気ディスクの表面に平行な方向に移動可能なように弾性支持部材により支持された可動部と、
前記可動部を変位させるアクチュエータと、
前記可動部に固定され、前記光磁気ディスクに対して磁界を印加する磁界発生部と、
前記磁界発生部を挟んで前記アクチュエータによる前記可動部の変位方向に対向する位置にそれぞれ１つ以上設けられて、前記光磁気ディスクを挟んで対向する位置から照射され、前記光磁気ディスクを透過した光ビームをそれぞれ受光する複数の光検出部と、
前記各光検出部による検出信号に基づき、前記磁界発生部の位置が前記光ビームの入射位置に追従するように前記アクチュエータの駆動を制御する駆動制御部と、
を有することを特徴とする磁気ヘッド装置。
【請求項２】
前記磁界発生部は、コイルと、前記コイルの内部に挿入された磁気コアとからなることを特徴とする請求項１記載の磁気ヘッド装置。
【請求項３】
前記アクチュエータは、前記光磁気ディスクの半径方向に前記可動部を変位させることを特徴とする請求項１記載の磁気ヘッド装置。
【請求項４】
前記弾性支持部材は導電性材料からなり、前記磁界発生部に対して供給される記録信号の流路とされていることを特徴とする請求項１記載の磁気ヘッド装置。
【請求項５】
前記アクチュエータは、前記可動部に固定されたコイルを備え、
前記駆動制御部は、前記可動部に固定されて、前記コイルに対して駆動電圧を供給することを特徴とする請求項１記載の磁気ヘッド装置。
【請求項６】
前記弾性支持部材は導電性材料からなり、前記駆動制御部に対する電源供給の流路とされていることを特徴とする請求項５記載の磁気ヘッド装置。
【請求項７】
前記各光検出部の受光面に前記光ビームを集光するためのレンズを設けたことを特徴とする請求項１記載の磁気ヘッド装置。
【請求項８】
前記各光検出部は、前記光ビームと同じ波長の領域に感度のピークを持つ光検出素子からなることを特徴とする請求項１記載の磁気ヘッド装置。
【請求項９】
前記各光検出部の受光面に、前記光ビームと同じ波長の光を選択的に透過させる光学フィルタを設けたことを特徴とする請求項１記載の磁気ヘッド装置。
【請求項１０】
前記光検出部が前記磁界発生部を挟んで１つずつ設けられた場合に、
前記駆動制御部は、前記各光検出部による検出信号の差分値を積分した値がゼロになるように、前記アクチュエータの駆動を制御する、
ことを特徴とする請求項１記載の磁気ヘッド装置。
【請求項１１】
光磁気ディスクに信号を記録する光磁気記録装置において、
サスペンションに懸架されて前記光磁気ディスクの表面に摺動する摺動部材と、
前記摺動部材またはこれに固定された部材に対して、前記光磁気ディスクの表面に平行な方向に移動可能なように弾性支持部材により支持された可動部と、
前記可動部を変位させるアクチュエータと、
前記可動部に固定され、前記光磁気ディスクに対して磁界を印加する磁界発生部と、
前記磁界発生部を挟んで前記アクチュエータによる前記可動部の変位方向に対向する位置にそれぞれ１つ以上設けられて、前記光磁気ディスクを挟んで対向する位置から照射され、前記光磁気ディスクを透過した光ビームをそれぞれ受光する複数の光検出部と、
前記各光検出部による検出信号に基づき、前記磁界発生部の位置が前記光ビームの入射位置に追従するように前記アクチュエータの駆動を制御する駆動制御部と、
を備えた磁気ヘッド装置と、
前記磁気ヘッド装置に対して少なくとも前記サスペンションを介して連結され、前記光ビームを照射する光学ピックアップ装置と、
を有することを特徴とする光磁気記録装置。
【請求項１２】
前記光磁気ディスクに対する信号記録の開始要求を受けると、前記光学ピックアップ装置に対して前記光ビームの照射を開始させるとともに、前記磁気ヘッド装置の前記駆動制御部に対して前記アクチュエータの駆動を開始させ、所定時間後に前記磁界発生部に記録信号を供給して記録動作を開始させる制御手段をさらに有することを特徴とする請求項１１記載の光磁気記録装置。
【発明の詳細な説明】
【技術分野】
【０００１】
本発明は、光磁気ディスクに信号を記録する磁気ヘッド装置、およびこれを具備する光磁気記録装置に関し、光磁気ディスクの表面に摺動して信号記録を行う摺動型の磁気ヘッド装置、および光磁気記録装置に関する。
【背景技術】
【０００２】
光磁気ディスクに情報を記録する記録装置に用いる磁気ヘッドとしては、磁気ヘッド部に設けられた摺動体が光磁気ディスクに接触摺動することで、磁気ヘッドと記録層との間隔を一定に保つようにした摺動型の磁気ヘッドが知られている。
【０００３】
図８は、従来の光磁気記録装置の要部構成を示す断面図である。
図８に示すように、光磁気記録装置は、光磁気ディスク１の記録層に対して外部磁界を印加する磁気ヘッド部１１０と、この磁気ヘッド部１１０に対して光磁気ディスク１をはさんで対向する側に配置された光学ピックアップ１２０とを備えている。光学ピックアップ１２０は、リードスクリュー１２１に沿って光磁気ディスク１の半径方向（図中、矢印Ｄの方向）に移動可能とされている。また、磁気ヘッド部１１０は、サスペンション１１１などを介して光学ピックアップ１２０に連結され、この光学ピックアップ１２０とともにディスク半径方向に移動される。
【０００４】
光磁気ディスク１に対する信号記録時には、光学ピックアップ１２０からの光ビームが対物レンズ１２２により光磁気ディスク１の磁性膜面１ａに集光されるとともに、磁気ヘッド部１１０のコイル１１２から記録信号に応じて変調された磁界が印加される。このとき、磁気ヘッド部１１０に設けられた摺動部材１１３の下面が光磁気ディスク１の表面に摺動することで、コイル１１２と磁性膜面１ａとの距離が一定に保持される。磁性膜面１ａでは、光ビームによってキュリー温度以上に加熱されて消磁された部分が、光ビームの相対的な移動によりキュリー温度以下に低下することで、磁気ヘッド部１１０からの磁界による磁化の方向が固定され、信号の記録がなされる。
【０００５】
このような従来の光磁気記録装置の光学ピックアップ１２０には、光磁気ディスク１に出射した光ビームの反射光を複数のフォトダイオードで受け、その受光量に応じて対物レンズ１２２をディスク半径方向などに移動させることで、光ビームが記録トラック上に正しく結像するように微調整する機能が一般的に設けられている。これにより、記録トラックが狭小化されて記憶容量が高められた光磁気ディスクへの記録に対応していた。
【０００６】
なお、光磁気ディスク用の従来の光ヘッドとしては、面発光レーザと磁界印加用磁気コイルとが、光ディスクの光照射面側に位置する同一のスライダに搭載され、さらに面発光レーザの周囲に配置した複数のフォトダイオードによる受光信号に基づき、レーザ光の焦点制御を行うようにしたものがあった（例えば、特許文献１参照）。
【０００７】
また、磁気ディスク（ハードディスク）用の従来の磁気ヘッドとしては、ボイスコイルモータのアームに取り付けられたロードビームの先端部に、磁気ヘッドスライダを揺動させるマイクロアクチュエータを設けて、ディスクに対して磁気ヘッドを正確に位置決めできるようにしたものがあった（例えば、特許文献２参照）。
【特許文献１】特開２００１−１６７４８８号公報（段落番号〔００２８〕、図１６）
【特許文献２】特開２００４−２１３８１８号公報（段落番号〔００１６〕〜〔００２４〕、図２）
【発明の開示】
【発明が解決しようとする課題】
【０００８】
ところで、最近の光磁気記録装置では、高記録密度化が進むとともに、信号記録のさらなる高速化も要求されている。しかし、従来の光磁気記録装置では、上述したトラッキングの微調整機能による対物レンズの可動範囲や、磁界発生部の取り付け誤差、光磁気ディスクの偏心などを考慮して、磁気ヘッド部の磁界発生範囲をある程度大きくしておく必要があった。このために磁界発生部の大きさ、具体的にはコイル径を大きくすると、磁気ヘッド部が大きくなって装置の小型化・薄型化を阻害するだけでなく、コイルのインピーダンスが高まるために、記録信号の周波数を高めて記録速度を高めようとすると消費電力が増大してしまうという問題があった。
【０００９】
本発明はこのような点に鑑みてなされたものであり、信号記録の高速化と低消費電力化とが両立された光磁気ディスク用の磁気ヘッド装置を提供することを目的とする。
また、本発明の他の目的は、信号記録の高速化と低消費電力化とが両立された磁気ヘッド装置を備えた光磁気記録装置を提供することである。
【課題を解決するための手段】
【００１０】
本発明では上記課題を解決するために、光磁気ディスクに信号を記録する磁気ヘッド装置において、サスペンションに懸架されて前記光磁気ディスクの表面に摺動する摺動部材と、前記摺動部材またはこれに固定された部材に対して、前記光磁気ディスクの表面に平行な方向に移動可能なように弾性支持部材により支持された可動部と、前記可動部を変位させるアクチュエータと、前記可動部に固定され、前記光磁気ディスクに対して磁界を印加する磁界発生部と、前記磁界発生部を挟んで前記アクチュエータによる前記可動部の変位方向に対向する位置にそれぞれ１つ以上設けられて、前記光磁気ディスクを挟んで対向する位置から照射され、前記光磁気ディスクを透過した光ビームをそれぞれ受光する複数の光検出部と、前記各光検出部による検出信号に基づき、前記磁界発生部の位置が前記光ビームの入射位置に追従するように前記アクチュエータの駆動を制御する駆動制御部とを有することを特徴とする磁気ヘッド装置が提供される。
【００１１】
このような磁気ヘッド装置では、摺動部材が光磁気ディスクの表面に摺動した状態で、光磁気ディスクにおける光ビームの照射部に対して磁界発生部から磁界が印加されることで、磁界発生部と光磁気ディスクとの間隔を一定に保ったままで信号の記録が行われる。また、磁界発生部は可動部上に設けられ、この可動部は、摺動部材またはこれに固定された部材に対して、光磁気ディスクの表面に平行な方向に移動可能なように弾性支持部材によって支持され、アクチュエータにより変位される。
【００１２】
この可動部にはさらに、磁界発生部を挟んでアクチュエータによる可動部の変位方向に対向する位置にそれぞれ１つ以上の光検出部が設けられ、光磁気ディスクを挟んで対向する位置から照射され、光磁気ディスクを透過した光ビームが、各光検出部により受光される。そして、各光検出部による検出信号に基づく駆動制御部の制御によりアクチュエータが駆動されて、磁界発生部の位置が光ビームの入射位置に追従するように可動部が変位する。これにより、磁界の発生範囲を縮小しても信号の記録が正常に実行されるようになる。
【発明の効果】
【００１３】
本発明の磁気ヘッド装置によれば、各光検出部による検出信号に基づく駆動制御部の制御によりアクチュエータが駆動されて、磁界発生部の位置が光ビームの入射位置に追従するように可動部が変位するので、磁界の発生範囲を縮小しても信号の記録を正常に実行できるようになる。従って、磁界発生部の断面積を小型化できるので、電力消費量を上昇させることなく、記録信号の周波数を高めて記録速度を高速化できる。
【発明を実施するための最良の形態】
【００１４】
以下、本発明の実施の形態を図面を参照して詳細に説明する。
図１は、本発明の実施の形態に係る光磁気記録装置の全体構成を示す図である。
この光磁気記録装置は、光磁気ディスク１に信号を記録する摺動型の磁気ヘッドを備えている。光磁気ディスク１はディスクカートリッジ２に収容され、このディスクカートリッジ２とともに光磁気記録装置に着脱可能に装着される。
【００１５】
また、この光磁気ディスク１を挟んで一方には光ビームを照射する光学ピックアップ３が配置され、他方には外部磁界を印加する磁気ヘッド部４が配置されている。さらに、この光磁気記録装置は、光学ピックアップ３から照射する光ビームの発光および検出信号の受光を行う発光部・受光部５と、光学ピックアップ３および磁気ヘッド部４を移動させるための送りモータ６、およびガイド部材であるリードスクリュー７とを備えている。
【００１６】
この光磁気記録装置において信号記録が行われるときには、光磁気ディスク１の記録層に対して、磁気ヘッド部４から記録信号に応じて変調された磁界を印加するとともに、発光部・受光部５からの光ビームを光学ピックアップ３を通じて照射する。光磁気ディスク１の記録層（磁性膜）では、光ビームによってキュリー温度以上に加熱されて保磁力を消失した部分が、磁気ヘッド部４からの磁界の方向に応じて磁化された後、光ビームの相対的な移動でキュリー温度以下に低下することによって磁化の方向が固定され、信号の記録がなされる。また、磁気ヘッド部４と光学ピックアップ３とはサスペンション８などを介して連結されており、送りモータ６の駆動力によりリードスクリュー７に沿ってディスク半径方向（図中の矢印Ｄ１方向）にともに移動される。
【００１７】
図２および図３はそれぞれ、光学ピックアップおよび磁気ヘッド部の周囲を拡大して示した側面図および正面図である。図２および図３は、それぞれ図１中のＡ矢視およびＢ矢視から見た断面図である。
【００１８】
図２に示すように、磁気ヘッド部４は、光磁気ディスク１およびディスクカートリッジ２の収容部の外側に設けられた固定体９に対して、サスペンション８を介して固定されている。磁気ヘッド部４は、信号記録時にはサスペンション８の弾性力により光磁気ディスク１の表面に押圧され、摺動部材１１の下面が光磁気ディスク１の表面に摺動される。なお、摺動部材１１は、摺動性の高いエンジニアリングプラスチックなどの材料により構成される。
【００１９】
また、このサスペンション８と固定体９および連結体１０を介して、磁気ヘッド部４と光学ピックアップ３とが連結されている。これにより、磁気ヘッド部４の磁界発生部の直下に、光学ピックアップ３の光ビーム出射部である対物レンズ３ａが配置された状態で、磁気ヘッド部４と光学ピックアップ３とが一体となってディスク半径方向に移動される。
【００２０】
ところで、この磁気ヘッド部４には、光学ピックアップ３からの光ビームのビームスポットに、磁界の発生範囲を正確に追従させるためのアクチュエータが設けられている。このアクチュエータは、対物レンズ３ａから出射された光ビームが、光磁気ディスク１の磁性膜面１ａを透過することを利用し、この透過光を検出して磁界発生部を含む可動部１２の位置を光磁気ディスク１に平行な方向（本実施の形態ではディスク半径方向）に微調整するものである。
【００２１】
なお、例えばＨｉ−ＭＤ（ソニー株式会社の登録商標）規格の光磁気ディスク１では、磁性膜として膜厚０．０７μｍ程度のＴｂ−Ｆｅ−Ｃｏ膜などが用いられ、この磁性膜と反射膜、誘電体膜を含めて０．２μｍ程度の記録膜厚を有している。このような記録膜では、通常、信号記録時のみならず、よりレーザパワーの弱い信号再生時の光ビームも、わずかながら透過する。
【００２２】
図３に示すように、磁気ヘッド部４の可動部１２には、信号記録用の磁界発生部１３とともに、磁性膜面１ａの透過光を受光するためのＰＤ（Photo Diode）１４ａおよび１４ｂ、アクチュエータを駆動する駆動回路１５などが設けられている。そして、この可動部１２は、図２に示すように、左右２本ずつの弾性支持部材１６により、光磁気ディスク１の表面に平行な方向（主にディスク半径方向）に可動な状態で摺動部材１１に支持されている。なお、後述するように、弾性支持部材１６は導電性材料によって構成され、磁界発生部１３への記録信号および駆動回路１５への電源の供給も担っている。
【００２３】
図４は、磁気ヘッド部をさらに拡大して示した図である。図４（Ａ）は、図３中のＣ矢視から見た平面図であり、（Ｂ）は正面図である。
図４に示すように、磁気ヘッド部４の可動部１２には、磁界発生部１３として、Ｃｕなどからなるコイル１３ａとフェライトなどからなる磁気コア１３ｂとが設けられ、これにより記録信号により変調された磁界が発生される。また、ＰＤ１４ａおよび１４ｂは、この磁界発生部１３の中心軸を挟んでディスク半径方向（図中Ｄ１方向）の両側に設けられ、それぞれの受光量の差分から入射光軸とのずれ量を検出できるようになっている。
【００２４】
さらに、各ＰＤ１４ａおよび１４ｂの受光面には、光磁気ディスク１を透過した光ビームを集光するための集光レンズ１７ａおよび１７ｂが設けられている。なお、Ｈｉ−ＭＤ規格の光磁気記録装置では、摺動部材１１により光磁気ディスク１と可動部１２との間は例えば５０μｍ〜１５０μｍ程度の間隔を有しており、対物レンズ３ａとの相対的な位置ずれが生じて、透過光が斜めに入射された場合にも、集光レンズ１７ａおよび１７ｂを通じてＰＤ１４ａおよび１４ｂで確実に受光できる。
【００２５】
このように、磁界発生部１３の外側にＰＤ１４ａおよび１４ｂを配置したことで、受光面積を比較的大きくすることができ、しかも受光面に集光レンズ１７ａおよび１７ｂを設けたことで、受光量をより大きくできる。従って、受光面が光ビームの本来の光軸と離れている構造でありながらも、アクチュエータの駆動に必要な十分な光量を検出することができる。また、受光のための部品としては、ＰＤおよび集光レンズが一体とされた市販品を使用することができ、部品コストを抑制できる。
【００２６】
さらに、磁界発生部１３をコイル１３ａと磁気コア１３ｂとからなる一般的な構成とすることができるので、磁界の発生効率が比較的高い。このため、コイル１３ａの径を小型化でき、高周波の磁界発生時における消費電力の低減効果が大きい。これとともに、ＰＤ１４ａおよび１４ｂの間隔を小さくできるので、それらの受光量が大きくなり、受光面の面積を小さくして装置を小型化することができる。
【００２７】
なお、ＰＤ１４ａおよび１４ｂとしては、光学ピックアップ３からの光ビームと同じ波長（例えばＨｉ−ＭＤ規格の場合は７８０ｎｍ）の光に対して比較的高感度である特性を持つ素子を用いることが望ましい。あるいは、光ビームと同じ波長の光を選択的に透過させる光学フィルタを、例えば集光レンズ１７ａおよび１７ｂまたはＰＤ１４ａおよび１４ｂの表面などに設けておくことで、周囲の光の影響を低減してより正確に光ビームを検出できるようになる。
【００２８】
次に、可動部１２を変位させるアクチュエータについて説明する。このアクチュエータは、可動部１２を支持する弾性支持部材１６、可動部１２に接続されたコイル１８、摺動部材１１側に接続されたヨーク１９および永久磁石２０から構成される。
【００２９】
弾性支持部材１６は、光磁気ディスク１の面に垂直な方向に幅を持つ板バネ材からなり、このような板バネ材が図中の左右にそれぞれ２枚ずつ設けられて（図２参照）、可動部１２と摺動部材１１とを接続することで、可動部１２を光磁気ディスク１に平行な方向に移動可能に支持するとともに、ディスク面に垂直な方向に対する移動を規制している。
【００３０】
コイル１８は、ディスク半径方向に軸を有し、この軸に、永久磁石２０により磁化されたヨーク１９が挿入される。そして、駆動回路１５によりコイル１８への印加電圧が制御されてコイル１８の発する磁力が調整されることで、コイル１８とともに可動部１２がディスク半径方向に対して移動される。
【００３１】
また、本実施の形態では、弾性支持部材１６はりん青銅やステンレスなどの導電性材料からなり、光磁気記録装置内の図示しない制御回路と可動部１２内の回路との間の配線機能も兼用している。すなわち、制御回路からは、弾性支持部材１６を通じて、磁界発生部１３のコイル１３ａへの記録信号、および駆動回路１５への駆動電圧が供給される。このような構成とすることで、例えばフレキシブルプリント基板などの配線手段を用いた場合に生じうる反力の影響が回避され、可動部１２の追従性能が安定化するとともに、アクチュエータに必要な駆動力が低減されて消費電力を抑制することもできる。
【００３２】
図５は、アクチュエータを駆動するための回路の構成を概略的に示す図である。
上述したように、可動部１２には、光ビーム検出用のＰＤ１４ａおよび１４ｂと、アクチュエータを駆動するための駆動回路１５とが設けられている。駆動回路１５は、差分演算回路１５ａと、駆動制御回路１５ｂとを具備する。差分演算回路１５ａは、ＰＤ１４ａおよび１４ｂによる受光信号の強度差を演算し、駆動制御回路１５ｂに供給する。駆動制御回路１５ｂは、差分演算回路１５ａによって演算された受光信号の強度差が略ゼロとなるように、アクチュエータのコイル１８に対して駆動電圧を出力してフィードバック制御を行う。この駆動制御回路１５ｂには、差分演算回路１５ａからの強度差信号を積分する積分回路を備えており、これにより、ＰＤ１４ａおよび１４ｂによって検出される光ビームの細かな強度変化には反応させずに、光学ピックアップ３とのトラック幅方向のずれに対応する低周波の信号強度変化に対して、アクチュエータの駆動を反応させることができる。
【００３３】
以上説明した磁気ヘッド部４を適用することにより、光学ピックアップ３からの光ビームの入射位置に対して、可動部１２をディスク半径方向により正確に追従させることができるようになる。このため、光磁気ディスク１の記録トラックの幅を狭小化して、その記録密度を高めた場合にも、磁気ヘッド部４からの磁界発生範囲を大きくすることなく、信号記録速度を高めることが可能となる。また、上記の磁気ヘッド部４では、可動部１２を支持する支持部材を導電性として配線機能を兼用させた構成としたことで、磁気ヘッド部４内の部品を小型化しながらも、必要な受光性能やアクチュエータの駆動性能を満たすことが可能となっている。
【００３４】
ここで、磁界発生範囲を小さくできるという効果について、図６を用いて具体的に説明する。
図６は、磁気ヘッド部による磁界発生範囲の比較例を示す図である。
【００３５】
ここでは、トラックピッチが１．２μｍのＨｉ−ＭＤ規格の光磁気ディスクを用いた記録装置での例を挙げる。磁界発生部を移動させるアクチュエータを持たない従来の磁気ヘッドでは、トラッキング調整のための対物レンズの可動範囲や、磁界発生部の取り付け誤差、光磁気ディスクの偏心などを考慮して、磁界発生範囲を比較的大きめにとる必要があり、例えば図６の左側のように、ディスク半径方向（ｒａｄ方向）に６００μｍ、ディスク回転方向（ｔａｎ方向）に４００μｍ程度の大きさとしていた。
【００３６】
これに対して、本実施の形態の磁気ヘッド部を用い、磁界発生部のディスク半径方向への移動量を２５０μｍ〜３００μｍとして同じ速度で記録した場合には、図中右側のように、磁界発生範囲のディスク半径方向に対する長さを１００μｍに抑えることができた。
【００３７】
このように、磁界発生範囲を小さくすることで、磁界発生部のコイルの径を小さくすることができる。これにより、コイルのインピーダンスを小さくすることができるため、記録信号の周波数を高めて記録速度を上げた場合にも、消費電力が増大することを防止できる。従って、信号記録速度の向上と低消費電力化とが両立された小型・薄型の磁気ヘッドを実現できる。
【００３８】
図７は、光磁気ディスクへの信号記録開始時における制御シーケンスの例を示すフローチャートである。
光磁気記録装置の制御回路（図示せず）は、入力部（図示せず）を通じたユーザからの記録開始要求を待機し、要求が行われたと判断すると（ステップＳ１）、モータ６を駆動させて光学ピックアップ３および磁気ヘッド部４を所定位置まで移動させた後、発光部・受光部５に対して光ビームの予備発光を開始させるとともに、磁気ヘッド部４のアクチュエータ用の駆動回路１５に対して駆動電圧を供給し、アクチュエータの駆動を開始させる（ステップＳ２）。この予備発光では、例えば信号記録時より小さいレベルで光ビームが発光され、この光ビームの受光信号に基づいて、アクチュエータによる可動部１２の追従動作が行われる。なお、予備発光時にも信号記録時と同じレベルの光ビームを発光させてもよい。
【００３９】
次に、制御回路は所定の時間（例えば０．１秒）が経過したか否かを判断し（ステップＳ３）、経過したときに、発光部・受光部５に対して記録信号時のレベルの光ビームを発光させるとともに、磁気ヘッド部４のコイル１３ａに対して記録信号を供給して、信号記録動作を開始させる（ステップＳ４）。このような制御により、アクチュエータを駆動させて、光ビームのビームスポット位置に磁気ヘッド部４からの磁界が確実に印加される状態となった後に、信号記録動作が開始されるので、光磁気ディスク１に対して記録開始時から確実に信号を記録することが可能となる。
【００４０】
なお、上記の実施の形態では、可動部１２にアクチュエータ用の駆動回路１５を設けたが、この駆動回路１５を摺動部材１１側に設けてもよい。この場合、アクチュエータのコイル１８を摺動部材１１側に固定し、ヨーク１９および永久磁石２０を可動部１２側に固定することが望ましい。さらに、ＰＤ１４ａおよび１４ｂからの検出信号を、弾性支持部材１６を通じて駆動回路１５に供給するように構成することが望ましい。
【００４１】
また、上記の実施の形態では、アクチュエータにより磁界発生部を１軸方向（ディスク半径方向）に移動させた場合の例について説明したが、例えばディスク回転方向などの他の方向に磁界発生部を移動させるように構成してもよい。また、ディスク半径方向およびディスク回転方向など、２軸以上の方向に移動できるようにアクチュエータを構成してもよい。その場合、光ビームを受光するＰＤを、各軸方向に対して複数個並列するように配置する必要がある。
【００４２】
また、上記の実施の形態では、ディスクカートリッジに収容された光磁気ディスクを使用した場合について説明したが、ディスクカートリッジを使用しないタイプの光磁気ディスクに記録する磁気ヘッド装置および光磁気記録装置に本発明を適用することもできる。
【図面の簡単な説明】
【００４３】
【図１】本発明の実施の形態に係る光磁気記録装置の全体構成を示す図である。
【図２】光学ピックアップおよび磁気ヘッド部の周囲を拡大して示した側面図である。
【図３】光学ピックアップおよび磁気ヘッド部の周囲を拡大して示した正面図である。
【図４】磁気ヘッド部をさらに拡大して示した図である。
【図５】アクチュエータを駆動するための回路の構成を概略的に示す図である。
【図６】磁気ヘッド部による磁界発生範囲の比較例を示す図である。
【図７】光磁気ディスクへの信号記録開始時における制御シーケンスの例を示すフローチャートである。
【図８】従来の光磁気記録装置の要部構成を示す断面図である。
【符号の説明】
【００４４】
１……光磁気ディスク、１ａ……磁性膜面、２……ディスクカートリッジ、３……光学ピックアップ、３ａ……対物レンズ、４……磁気ヘッド部、５……発光部・受光部、６……送りモータ、７……リードスクリュー、８……サスペンション、９……固定体、１０……連結体、１１……摺動部材、１２……可動部、１３……磁界発生部、１３ａ……コイル、１３ｂ……磁気コア、１４ａ，１４ｂ……ＰＤ、１５……駆動回路、１６……弾性支持部材、１７ａ，１７ｂ……集光レンズ、１８……コイル、１９……ヨーク、２０……永久磁石
【図１】
2007018678.tif 000003
【図２】
2007018678.tif 000004
【図３】
2007018678.tif 000005
【図４】
2007018678.tif 000006
【図５】
2007018678.tif 000007
【図６】
2007018678.tif 000008
【図７】
2007018678.tif 000009
【図８】
2007018678.tif 000010